(57)【要約】【課題】バッテリを構成するセルとその他の部品の組み立て作業を簡単かつ容易にすると共に、その組み立ての結合状態を堅固にした携帯端末機のバッテリを提供する。【解決手段】携帯端末機のバッテリは、セル４００と、セル４００に接続されて、セル内部で充電及び放電時の電流の安定性などを確保する保護回路組立体５００と、保護回路組立体５００を覆う保護用カバー６００と、セル４００の一部と保護用カバー６００の一部を締結する締結ユニット７００とを含む。【選択図】図１
2006140149.tif 000002
【特許請求の範囲】
【請求項１】
セルと、
該セルに接続されて、セルの内部で充電及び放電時の電流の安定性などを確保する保護回路組立体と、
該保護回路組立体を覆う保護用カバーと、
前記セルの一部と保護用カバーの一部を締結する締結ユニットと
を含むことを特徴とする携帯端末機のバッテリ。
【請求項２】
前記保護回路組立体と保護用カバーは一体に形成されることを特徴とする請求項１に記載の携帯端末機のバッテリ。
【請求項３】
前記保護用カバーと一体に形成される保護回路組立体の端子と前記セルの端子部は接続端子ユニットにより接続することを特徴とする請求項２に記載の携帯端末機のバッテリ。
【請求項４】
前記接続端子ユニットは、前記保護回路組立体の端子又は前記セルの端子部に取り付けられ、弾性力を有する導電性弾性部材であることを特徴とする請求項３に記載の携帯端末機のバッテリ。
【請求項５】
前記接続端子ユニットは、前記セルの端子部に取り付けられた導電性圧着部材と、前記保護回路組立体の端子に取り付けられて前記導電性圧着部材に嵌合される導電性嵌合部材とを含むことを特徴とする請求項３に記載の携帯端末機のバッテリ。
【請求項６】
前記保護回路組立体と保護用カバーは分離されることを特徴とする請求項１に記載の携帯端末機のバッテリ。
【請求項７】
前記締結ユニットは、前記保護用カバーの一側に形成される複数の係止孔と、前記セルの一側に突設されて前記係止孔にそれぞれ係止固定される複数のフック部とを含むことを特徴とする請求項１に記載の携帯端末機のバッテリ。
【請求項８】
前記フック部は、前記セルの一側に所定長さ及び厚さを有して形成されたブラケット部に所定間隔を置いて形成されることを特徴とする請求項７に記載の携帯端末機のバッテリ。
【請求項９】
前記締結ユニットは、前記セルの一側に形成される複数の係止孔と、前記保護用カバーの一側に突設されて前記係止孔にそれぞれ係止されて固定される複数のフック部とを含むことを特徴とする請求項１に記載の携帯端末機のバッテリ。
【請求項１０】
前記締結ユニットは、前記保護用カバーの一側に形成された貫通孔と、前記セルの一側に形成されるねじ孔と、前記保護用カバーの貫通孔にそれぞれ挿入されてセルのねじ孔に螺合される締結ねじとを含むことを特徴とする請求項１に記載の携帯端末機のバッテリ。
【請求項１１】
前記ねじ孔は、セルの一側に所定長さ及び厚さを有して形成されたブラケット部に所定間隔を置いて形成されることを特徴とする請求項１０に記載の携帯端末機のバッテリ。
【請求項１２】
前記締結ユニットは、前記セルの一側に形成された貫通孔と、前記保護用カバーの一側に形成されるねじ孔と、前記セルの貫通孔にそれぞれ挿入されて保護用カバーのねじ孔にそれぞれ螺合される締結ねじとを含むことを特徴とする請求項１に記載の携帯端末機のバッテリ。
【発明の詳細な説明】
【技術分野】
【０００１】
本発明は、携帯端末機のバッテリに関し、特に、バッテリを構成するセルとその他の部品との組み立て作業を簡単かつ容易にすると共に、その組み立ての結合状態を堅固にする携帯端末機のバッテリに関する。
【背景技術】
【０００２】
携帯端末機は、携帯に便利で、使用者が携帯中、いつどこでも相手と音声送受信できる通信機器である。この携帯端末機は、電源を供給するバッテリが脱着可能に備えられ、該バッテリは、２次電池であり、所定時間使用して放電されると、充電器を利用して充電して再使用できる。
【０００３】
また、前記携帯端末機に使用されるバッテリは、一般にリチウム電池であり、そのリチウム電池の作用原理は、リチウム酸化物により形成された陽極から酸化作用によってリチウムイオンが発生し、該リチウムイオンが電解質を通じて移動して炭素物質などで形成された陰極で還元作用により還元されることにより、電気エネルギーを発生するものである。その電気エネルギーにより携帯端末機が動作する。
【０００４】
図１１は、バッテリの一例を示す斜視図であり、図１２は、バッテリを構成するカバー部材を除いたバッテリを示す斜視図である。
【０００５】
図示されたように、一般のバッテリは、六面体状に形成され、内部に電解質などが充填されたセル１００と、該セル１００の一方側に接続されてセル１００の内部で充電及び放電時の電流の安定性を確保する保護回路組立体２００と、該保護回路組立体２００を覆って保護する保護用カバー３００とから構成される。
【０００６】
また、セル１００は、アルミニウム材で形成され、該セル１００の内部は密閉状態である。
【０００７】
保護回路組立体２００を構成する端子２１０は、セル１００の端子部分にそれぞれ接続される。
【０００８】
保護用カバー３００は、ナイロン系の合成樹脂で形成される。
【０００９】
図１３は、従来の携帯端末機のバッテリの結合構造の一例を示す斜視図である。
【００１０】
図１３に示すように、従来の携帯端末機のバッテリの一例は、セル１００に保護回路組立体２００と保護用カバー３００が結合される構造を有し、セル１００の一側面に保護回路組立体２００がスポット溶接（Ｓｐｏｔ  ｗｅｌｄｉｎｇ）又はレーザー溶接により取り付けられ、該保護回路組立体２００を覆うようにナイロン系の合成樹脂の低温低圧射出により保護用カバー３００が形成される。すなわち、保護用カバー３００は射出成形物であり、セル１００に取り付けられる。
【００１１】
しかしながら、このような結合構造は、射出成形物である保護用カバー３００がアルミニウムで形成されたセル１００にインサート成形（ｉｎｓｅｒｔ  ｍｏｌｄｉｎｇ）により取り付けられるので、外部からの衝撃がバッテリに加えられると、セル１００と保護用カバー３００との結合が解除されて隙間が発生するという問題があった。
【００１２】
図１４は、従来の携帯端末機のバッテリの結合構造の他の例を示す斜視図である。
【００１３】
図１４に示すように、従来の携帯端末機のバッテリの結合構造の他の例は、まず保護回路組立体２００が内部に位置するようにナイロン系の合成樹脂のインサート成形により保護用カバー３００が形成され、該保護用カバー３００がセル１００の一側面にボンド（ｂｏｎｄ）で取り付けられる。
【００１４】
しかしながら、このような構造は、保護回路組立体２００が内装された保護用カバー３００をセル１００に取り付ける作業が不便であり、また、ナイロン系の合成樹脂で形成された保護用カバー３００がボンドにより硬化することにより、バッテリが落下したり、バッテリに外部からの衝撃が加えられると、破損しやすいという問題があった。
【発明の開示】
【発明が解決しようとする課題】
【００１５】
本発明は、前述したような問題点を解決するために提案されたもので、本発明の目的は、バッテリを構成するセルとその他の部品の組み立て作業を簡単かつ容易にすると共に、その組み立ての結合状態を堅固にした携帯端末機のバッテリを提供することにある。
【課題を解決するための手段】
【００１６】
このような目的を達成するために、本発明に係る携帯端末機のバッテリは、セルと、該セルに接続されて、セル内部で充電及び放電時の電流の安定性などを確保する保護回路組立体と、該保護回路組立体を覆う保護用カバーと、前記セルの一部と前記保護用カバーの一部を締結する締結ユニットとを含むことを特徴とする。
【００１７】
上記目的を達成するために、本発明は、例えば、以下の手段を提供する。
（項目１）
セルと、
該セルに接続されて、セルの内部で充電及び放電時の電流の安定性などを確保する保護回路組立体と、
該保護回路組立体を覆う保護用カバーと、
前記セルの一部と保護用カバーの一部を締結する締結ユニットと
を含むことを特徴とする携帯端末機のバッテリ。
（項目２）
前記保護回路組立体と保護用カバーは一体に形成されることを特徴とする項目１に記載の携帯端末機のバッテリ。
（項目３）
前記保護用カバーと一体に形成される保護回路組立体の端子と前記セルの端子部は接続端子ユニットにより接続することを特徴とする項目２に記載の携帯端末機のバッテリ。
（項目４）
前記接続端子ユニットは、前記保護回路組立体の端子又は前記セルの端子部に取り付けられ、弾性力を有する導電性弾性部材であることを特徴とする項目３に記載の携帯端末機のバッテリ。
（項目５）
前記接続端子ユニットは、前記セルの端子部に取り付けられた導電性圧着部材と、前記保護回路組立体の端子に取り付けられて前記導電性圧着部材に嵌合される導電性嵌合部材とを含むことを特徴とする項目３に記載の携帯端末機のバッテリ。
（項目６）
前記保護回路組立体と保護用カバーは分離されることを特徴とする項目１に記載の携帯端末機のバッテリ。
（項目７）
前記締結ユニットは、前記保護用カバーの一側に形成される複数の係止孔と、前記セルの一側に突設されて前記係止孔にそれぞれ係止固定される複数のフック部とを含むことを特徴とする項目１に記載の携帯端末機のバッテリ。
（項目８）
前記フック部は、前記セルの一側に所定長さ及び厚さを有して形成されたブラケット部に所定間隔を置いて形成されることを特徴とする項目７に記載の携帯端末機のバッテリ。
（項目９）
前記締結ユニットは、前記セルの一側に形成される複数の係止孔と、前記保護用カバーの一側に突設されて前記係止孔にそれぞれ係止されて固定される複数のフック部とを含むことを特徴とする項目１に記載の携帯端末機のバッテリ。
（項目１０）
前記締結ユニットは、前記保護用カバーの一側に形成された貫通孔と、前記セルの一側に形成されるねじ孔と、前記保護用カバーの貫通孔にそれぞれ挿入されてセルのねじ孔に螺合される締結ねじとを含むことを特徴とする項目１に記載の携帯端末機のバッテリ。
（項目１１）
前記ねじ孔は、セルの一側に所定長さ及び厚さを有して形成されたブラケット部に所定間隔を置いて形成されることを特徴とする項目１０に記載の携帯端末機のバッテリ。
（項目１２）
前記締結ユニットは、前記セルの一側に形成された貫通孔と、前記保護用カバーの一側に形成されるねじ孔と、前記セルの貫通孔にそれぞれ挿入されて保護用カバーのねじ孔にそれぞれ螺合される締結ねじとを含むことを特徴とする項目１に記載の携帯端末機のバッテリ。
【発明の効果】
【００１８】
本発明に係る携帯端末機のバッテリは、該バッテリを構成するセルと保護用カバーとの組み立て作業を簡単かつ容易にすることにより、バッテリの組み立て生産性が向上し、また、バッテリの結合状態が堅固になるため、バッテリを落としたり外部からの衝撃がバッテリに加えられる場合、バッテリの破損を防止することができ、従って、信頼性が向上するという効果がある。
【発明を実施するための最良の形態】
【００１９】
以下、本発明に係る携帯端末機のバッテリの実施形態を図面を参照して詳細に説明する。
【００２０】
図１は、本発明に係る携帯端末機のバッテリの第１実施形態を示す斜視図であり、図２は、図１の携帯端末機のバッテリの分離斜視図である。
【００２１】
図示されたように、本発明に係る携帯端末機のバッテリは、セル４００と、該セル４００に接続されて、セル４００の内部で充電及び放電時の電流の安定性を確保する保護回路組立体５００と、該保護回路組立体５００を覆う保護用カバー６００と、セル４００の一部と保護用カバー６００の一部を締結する締結ユニット７００とを含む。
【００２２】
セル４００は、六面体状に形成されることが好ましく、また、アルミニウム材で形成され、その内部には電解質などが充填される。セル４００の一側面に端子部が備えられる。
【００２３】
保護回路組立体５００と保護用カバー６００は、インサート成形により一体に形成される。保護用カバー６００は、ナイロン系の合成樹脂で形成されることが好ましい。また、保護回路組立体５００は、セル４００の端子部４１０に接続する端子５１０を備える。
【００２４】
締結ユニット７００は、セル４００の一側に突設される複数のフック部４２０と、保護用カバー６００の一側に形成されてセル４００のフック部４２０がそれぞれ係止固定される係止孔６１０とを含む。
【００２５】
セル４００の本体４３０の一側には所定長さ及び厚さを有するブラケット部４４０が突設され、該ブラケット部４４０にフック部４２０が所定間隔を置いて形成されることが好ましい。ブラケット部４４０は、セル４００の端子部４１０が形成された面に該端子部４１０を囲むように閉曲線状に形成されることが好ましい。フック部４２０は、ブラケット部４４０の外側面に形成される。
【００２６】
保護用カバー６００の本体６２０の一側にブラケット部４４０の長さに対応するように延長部６３０（図３を参照）が形成され、該延長部６３０に係止孔６１０が所定間隔を置いて貫通形成される。
【００２７】
図３は、本発明に係る携帯端末機のバッテリの第１実施形態の結合構造を示す断面図である。
【００２８】
図３を参照すると、保護用カバー６００がセル４００に結合されると、ブラケット部４４０が保護用カバー６００の延長部６３０に覆われるように、ブラケット部４４０が延長部６３０の内部に挿入されると同時に、フック部４２０が係止孔６１０にそれぞれ係止される。
【００２９】
さらに、保護用カバー６００とセル４００が締結された状態で、保護用カバー６００と一体になる保護回路組立体５００の端子５１０とセル４００の端子部４１０を接続する接続端子ユニット８００が保護回路組立体５００とセル４００との間に備えられる。
【００３０】
図４は、本発明に係る携帯端末機のバッテリを構成する接続端子ユニットの一例を示す。
【００３１】
図４に示すように、接続端子ユニット８００は、セル４００の端子部４１０にそれぞれ取り付けられた導電性弾性部材である。前記導電性弾性部材は、所定面積を有する弾性板が曲げられた形状であり、その一側がセル４００の端子部４１０にそれぞれ取り付けられる。
【００３２】
前記導電性弾性部材は、保護回路組立体５００の端子５１０にそれぞれ取り付けてもよい。
【００３３】
図５は、本発明に係る携帯端末機のバッテリを構成する接続端子ユニットの変形例を示す。
【００３４】
図５に示すように、接続端子ユニット８００は、セル４００の端子部４１０に取り付けられた導電性圧着部材８１０と、保護回路組立体５００の端子５１０に取り付けられて導電性圧着部材８１０に嵌合される導電性嵌合部材８２０とを含む。
【００３５】
図６は、本発明に係る携帯端末機のバッテリの第２実施形態の結合構造を示す断面図である。
【００３６】
図６を参照すると、本実施形態による携帯端末機のバッテリは、保護用カバー６００の延長部６３０の内側面に複数のフック部６４０が突設され、セル４００のブラケット部４４０にフック部６４０にそれぞれ係止される複数の係止孔４５０が貫通形成される。
【００３７】
保護用カバー６００とセル４００は、保護用カバー６００の延長部６３０に形成されたフック部６４０がセル４００のブラケット部４４０に形成された係止孔４５０に係止されることにより締結される。
【００３８】
図７は、本発明に係る携帯端末機バッテリの第３実施形態を示す斜視図で、図８は、本発明に係る携帯端末機バッテリの第３実施形態を示す分離斜視図である。
【００３９】
図７及び図８を参照すると、本発明に係る携帯端末機のバッテリは、前述したように、セル４００と、保護回路組立体５００と、保護用カバー６００と、セル４００の一部と保護用カバー６００の一部を締結する締結ユニット７００とを含む。また、締結ユニット７００は、保護用カバー６００の一側に形成された貫通孔６５０と、セル４００の一側に形成されるねじ孔４６０と、保護用カバー６００の貫通孔６５０にそれぞれ挿入されてセル４００のねじ孔４６０にそれぞれ螺合される締結ねじ７１０とを含む。
【００４０】
保護回路組立体５００と保護用カバー６００は、インサート成形により一体に形成される。保護用カバー６００は、ナイロン系の合成樹脂で形成されることが好ましい。保護回路組立体５００は、セル４００の端子部４１０に接続する端子５１０を備える。
【００４１】
セル４００の本体４３０の一側には所定長さ及び厚さを有するブラケット部４４０が突設され、該ブラケット部４４０には複数のねじ孔４６０が所定間隔を置いて形成されることが好ましい。ブラケット部４４０は、セル４００の端子部４１０が形成された面に端子部４１０を囲むように閉曲線状に形成されることが好ましい。
【００４２】
保護用カバー６００の本体６２０の一側にはブラケット部４４０の長さに対応するように延長部６３０が形成され、該延長部６３０には貫通孔６５０が所定間隔を置いて貫通形成される。
【００４３】
図９は、本発明の携帯端末機のバッテリの第３実施形態の結合構造を示す断面図である。
【００４４】
図９を参照すると、保護用カバー６００がセル４００に結合されると、ブラケット部４４０が保護用カバー６００の延長部６３０に覆われるようにように該ブラケット部４４０が延長部６３０の内部に挿入されて、保護用カバー６００の貫通孔６５０とセル４００のねじ孔４６０の位置が一致する。また、その一致した保護用カバー６００の貫通孔６５０とセル４００のねじ孔４６０にそれぞれ締結ねじ７１０を締め付ける。
【００４５】
さらに、保護用カバー６００とセル４００が締結された状態で、保護用カバー６００と一体になる保護回路組立体５００の端子５１０とセル４００の端子部４１０とを接続する接続端子ユニット８００が保護回路組立体５００とセル４００との間に備えられる。接続端子ユニット８００の構成は前述した通りである。
【００４６】
図１０は、本発明の携帯端末機のバッテリの第４実施形態の結合構造を示す断面図である。
【００４７】
図１０を参照すると、本実施形態による携帯端末機のバッテリは、保護用カバー６００の本体６２０の一側に延長部６６０が形成され、該延長部６６０に所定間隔を置いて複数のねじ孔６７０が形成される。また、セル４００の本体４３０の一側に延長部６６０に対応する長さ及び所定厚さを有するブラケット部４７０が形成され、該ブラケット部４７０にはねじ孔６７０に対応する数の貫通孔４８０が形成される。保護用カバー６００の延長部６６０とセル４００のブラケット部４７０の結合時、延長部６６０がセル４００のブラケット部４７０の内部に挿入される。
【００４８】
保護用カバー６００の延長部６６０に形成されたねじ孔６７０とセル４００のブラケット部４７０に形成された貫通孔４８０の位置がそれぞれ一致した状態で貫通孔４８０とねじ孔６７０に締結ねじ７１０がそれぞれ螺合される。
【００４９】
一方、前述した第１、第２、第３、第４実施形態において、保護回路組立体５００と保護用カバー６００を分離することもできる。すなわち、保護回路組立体５００と保護用カバー６００は、前記のようにインサート成形により一体に製造するのではなく、保護用カバー６００が保護回路組立体５００を覆う形態に形成することもできる。
【００５０】
ここで、保護回路組立体５００は、セル４００と熔接などにより取り付けられ、保護用カバー６００は、保護回路組立体５００を覆うようにセル４００に結合される。保護回路組立体５００は、端子５１０がセル４００の端子部４１０に取り付けられることによりセル４００に結合され、保護用カバー６００とセル４００は前述したような構造により結合される。
【００５１】
以下、本発明に係る携帯端末機のバッテリの作用効果を説明する。
【００５２】
本発明に係る携帯端末機のバッテリは、携帯端末機の本体に着脱可能に装着され、バッテリのセル４００から発生した電気エネルギーは保護回路組立体５００を介して安定的に携帯端末機の本体に供給される。バッテリが放電されると、バッテリを携帯端末機の本体から分離して充電した後、また装着して使用する。
【００５３】
本発明に係る携帯端末機のバッテリの第１、第２実施形態の場合、保護用カバー６００とセル４００がフック部４２０、６４０と係止孔４５０、６１０の締結により結合されるので、製造及び組み立て作業が簡単かつ容易になり、さらに、保護用カバー６００とセル４００の結合状態が堅固になる。
【００５４】
また、本発明に係る携帯端末機のバッテリの第３、第４実施形態の場合、保護用カバー６００とセル４００が複数の締結ねじ７１０の締結により結合されるので、製造及び組み立て作業が容易になり、その保護用カバー６００とセル４００の結合状態が堅固になる。
【００５５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００５６】
【図１】本発明に係る携帯端末機のバッテリの第１実施形態を示す斜視図である
【図２】本発明に係る携帯端末機のバッテリの第１実施形態を示す分離斜視図である。
【図３】図１の携帯端末機のバッテリの結合構造を示す断面図である。
【図４】本発明に係る携帯端末機のバッテリを構成する接続端子ユニットを示す平面図である。
【図５】本発明に係る携帯端末機のバッテリを構成する接続端子ユニットを示す平面図である。
【図６】本発明に係る携帯端末機のバッテリの第２実施形態の結合構造を示す断面図である。
【図７】本発明に係る携帯端末機バッテリの第３実施形態を示す斜視図である。
【図８】本発明に係る携帯端末機バッテリの第３実施形態を示す分離斜視図である。
【図９】図７の携帯端末機のバッテリの結合構造を示す断面図である。
【図１０】本発明の携帯端末機のバッテリの第４実施形態の結合構造を示す断面図である。
【図１１】一般的な携帯端末機のバッテリを示す斜視図である。
【図１２】図１１の携帯端末機のバッテリの保護回路組立体を示す斜視図である。
【図１３】従来の携帯端末機のバッテリの結合構造の一実施形態を示す斜視図である。
【図１４】従来の携帯端末機のバッテリの結合構造の他の実施形態を示す斜視図である。
【符号の説明】
【００５７】
４００：セル
５００：保護回路組立体
６００：保護用カバー
４２０、６４０：フック部
４４０、４７０：ブラケット部
４５０、６１０：係止孔
６３０、６６０：延長部
７００：締結ユニット
８００：接続端子ユニット
８１０：導電性圧着部材
８２０：導電性嵌合部材
【図１】
2006140149.tif 000003
【図２】
2006140149.tif 000004
【図３】
2006140149.tif 000005
【図４】
2006140149.tif 000006
【図５】
2006140149.tif 000007
【図６】
2006140149.tif 000008
【図７】
2006140149.tif 000009
【図８】
2006140149.tif 000010
【図９】
2006140149.tif 000011
【図１０】
2006140149.tif 000012
【図１１】
2006140149.tif 000013
【図１２】
2006140149.tif 000014
【図１３】
2006140149.tif 000015
【図１４】
2006140149.tif 000016